(57)【特許請求の範囲】
【請求項１】
写真フィルムを内蔵したレンズ付きフィルムユニットに装填された電池からの給電を受けて計時を行う時計回路と、この時計回路の計時データに基づいて日付文字を表示する写し込み用液晶表示素子とを有し、シャッタレリーズ操作に連動して入射する外光を利用して、前記液晶表示素子に表示された日付文字を写真フィルムに写し込むレンズ付きフィルムユニット用データ写し込み装置において、
前記データ写し込み装置は、前記時計回路が計時を開始した後に当該時計回路に対する前記電池からの給電が一時的に中断したことを検知して検知信号を出力する検知手段と、当該検知手段により給電の一時的中断が検知されたときに、前記液晶表示素子を無表示状態に保持するデータ無効化手段とを有し、
前記検知手段は、給電が断たれてから再び給電が開始される間の電圧レベルの変化を、波形整形回路で整形して前記検知信号として出力する回路を備え、
前記データ無効化手段は、前記検知手段からの検知信号に応答して前記液晶ドライバーへオフモード信号を出力するラッチ手段とを備えて、間違った日付文字の写真フィルムへの写し込みを禁止することを特徴とするレンズ付きフィルムユニット用データ写し込み装置。
【請求項２】
請求項１に記載のレンズ付きフィルムユニット用データ写し込み装置を備えたことを特徴とするレンズ付きフィルムユニット。
【発明の詳細な説明】
【０００１】
【発明の属する技術分野】
本発明は、外光や写し込み光源を利用して作成したデータ光を写真フイルムの露光画面内に被写体光とともに写し込むために、レンズ付きフイルムユニットに装填されるデータ写し込み装置に関するものである。
【０００２】
【従来の技術】
いつでも手軽に写真撮影ができるように、撮影機構が組み込まれたユニット本体に予めフイルムが内蔵された構成のレンズ付きフイルムユニットが知られている。このレンズ付きフイルムユニットとしては、特開平５−２８９１６４号公報において、日付写し込み機構が内蔵されたものが提案されている。この公報に記載の日付写し込み機構は、ボディ背面に設けたダイヤル式の手動データ操作部で希望するデータをセットした後に撮影を行うと、撮影用のシャッタ羽根に連動してデータ写し込み用のシャッタ部材が作動し、ボディ前面の窓から入射する自然光をライトガイドを介して後カバーの背面側に導き、白抜き（透明）のデータが表示されたデータ写し込み板を通して写真フイルムの背面側から露光画面内にデータを密着して写し込むようにしている。
【０００３】
上記公報に記載のレンズ付きフイルムユニットでは、撮影日が変わるごとにデータ写し込み操作部を操作する作業が必要となり、面倒である。そこで、自動的に表示を更新できるように、予めカレンダーを記憶した時計回路を設けたデータ写し込み装置をレンズ付きフイルムユニットに内蔵することが望ましい。
【０００４】
一般のカメラに用いられるデータ写し込み装置には、写し込まれるデータをモニターするための外部表示部と、データ表示を修正するための外部操作部とが設けられている。電源電池の交換や振動等で時計回路への電源供給が一時的に遮断したことに起因して、時計回路の計時データ（日付）がカレンダーの初期値に戻ったり、でたらめな、或いは全く異なる計時状態に陥った場合に、外部表示部を見ながら外部操作部を操作して、時計回路の計時状態を適正な状態に修正できるようになっている。
【０００５】
これに対し、レンズ付きフイルムユニットは、使用後に撮影済みの写真フイルムと一緒に現像所に提出され、撮影済みの写真フイルムが取り出された後に工場に回収され、リサイクルされる。したがって、一般のカメラに較べて使用期間が限られており、しかも低価格の商品であるため、このようなレンズ付きフイルムユニットに用いるデータ写し込み装置は、価格を廉価に抑えるという観点からは、外部表示部や外部操作部を省略したものとすることが望ましい。
【０００６】
【発明が解決しようとする課題】
しかしながら、レンズ付きフイルムユニットにおいて、内蔵されるデータ写し込み装置から、モニター用の外部表示部や時計回路の計時動作を修正するための外部操作部を省略すると、データ写し込み装置に異常が発生してもそれを認識することができず、また、その異常状態にあるデータ表示がそのまま写真フイルムに写し込まれてしまう。
【０００７】
データ写し込み装置の異常発生原因としては、上記のように、振動等がレンズ付きフイルムユニットに加わり、内蔵のデータ写し込み装置の時計回路等への電源供給が一時的に遮断する場合と、静電気等の外部ノイズや、フイルムユニットに装着されているストロボ基板から発生するストロボ充電時あるいは発光時のノイズが時計回路等に侵入してしまう場合がある。いずれの場合においても、時計回路がリセットされて計時データが初期データに戻ってしまったり、それが誤動作して、誤ったデータ表示がなされてしまう。
【０００８】
本発明の課題は、モニター用の外部表示部や修正用の外部操作部材が備わっていないデータ写し込み装置において、誤った日付の写し込みを未然に防止できるようにすることにある。
【０００９】
【課題を解決するための手段】
写真フィルムを内蔵したレンズ付きフィルムユニットに装填された電池からの給電を受けて計時を行う時計回路と、この時計回路の計時データに基づいて日付文字を表示する写し込み用液晶表示素子とを有し、シャッタレリーズ操作に連動して入射する外光を利用して、前記液晶表示素子に表示された日付文字を写真フィルムに写し込むレンズ付きフィルムユニット用データ写し込み装置において、前記データ写し込み装置は、前記時計回路が計時を開始した後に当該時計回路に対する前記電池からの給電が一時的に中断したことを検知して検知信号を出力する検知手段と、当該検知手段により給電の一時的中断が検知されたときに、前記液晶表示素子を無表示状態に保持するデータ無効化手段とを有し、前記検知手段は、給電が断たれてから再び給電が開始される間の電圧レベルの変化を、波形整形回路で整形して前記検知信号として出力する回路を備え、前記データ無効化手段は、前記検知手段からの検知信号に応答して前記液晶ドライバーへオフモード信号を出力するラッチ手段とを備えて、間違った日付文字の写真フィルムへの写し込みを禁止する。
【００１４】
【発明の実施の形態】
以下に、図面を参照して、本発明を適用したデータ写し込み装置が内蔵されたレンズ付きフイルムユニットを説明する。
【００１５】
（全体構成）
図１は、レンズ付きフイルムユニット（以下、単に「フイルムユニット」と称す。）の分解斜視図である。この図に示すように、フイルムユニット１は、ユニット本体１１と、これの外周を覆う外ケース（図示せず。）とを備えている。ユニット本体１１は、前カバー１２および後カバー１３を備え、これらにより構成される外カバーには、その前面に、撮影窓１４、自然光取り入れ用の採光窓１５、ファインダー対物窓１６、ストロボ発光窓１７、ストロボ充電開始ボタン１８などが形成され、その上面に、シャッタボタン１９、撮影枚数表示窓２０、充電完了表示窓２１等が形成され、その背面に、巻き上げノブ露呈窓２２、ファインダー接眼窓２３等が形成されている。なお、ユニット本体１１を覆う不図示の外ケースには、これらの各部分を外部に露呈させる開口がそれぞれ形成されている。
【００１６】
ユニット本体１１は、前カバー１２及び後カバー１３の他に、本体基部２４、露光ユニット２５、ストロボユニット２６、データ写し込み装置であるデータモジュール２７、及び写真フイルムカートリッジ２８を備えている。
【００１７】
本体基部２４には、カートリッジ２９を収納するためのカートリッジ収納室３０と、カートリッジ２９から全部引き出した未露光の写真フイルム３１をフイルムロール３１ａの形態で収納するためのフイルムロール室３２とが一体成形されている。本実施形態では、フイルムロール３１ａだけを収納しているが、例えば巻芯に巻き付けた形態のフイルムロールを収納してもよい。写真フイルム３１は、フイルム後端がスプール３３に係止されている。この写真フイルム３１は、予め決められたフイルム感度のものが用いられる。なお、写真フイルムカートリッジ２８としては、１３５タイプの他に、未使用時にはフイルム先端がカートッジの内部に収納されており、スプール回転により写真フイルムをカートリッジの外部に送り出すことができるタイプのものを用いてもよい。
【００１８】
後カバー１３は、本体基部２４の背後に着脱自在に取り付けられ、本体基部２４との間で写真フイルムカートリッジ２８を光漏れのない密閉状態で収納する。カートリッジ収納室３０とフイルムロール室３２との底は開口となっており、カートリッジ付き写真フイルム２８を装填した後に、後カバー１３に設けたプルトップ式の底蓋３４，３５によってそれぞれ塞がれる。このうち底蓋３４は、撮影済みの写真フイルムを収納したカートリッジ２９を取り出すときの蓋となる。
【００１９】
カートリッジ収納室３０の上面には、巻き上げノブ３６が回動自在に配置されている。巻き上げノブ３６の下部には、フォークが一体に形成されており、このフォークがカートリッジ収納室３０の上面の開口を挿通してスプール３３に係合している。巻き上げノブ３６は、一部が後カバー１３の開口２２から露呈しており、露呈した一部をフイルム巻き上げ方向（同図に示す反時計方向）に回転させるフイルム巻き上げ操作により、スプール３３がフイルム巻き取り方向に回転して撮影済みの写真フイルム３１をカートリッジ２９の内部に収納する。
【００２０】
カートリッジ収納室３０とフイルムロール室３２との間には、暗箱の一部となる分割暗箱３７が一体に設けられている。分割暗箱３７の背面側には、露光開口３８が形成されている。分割暗箱３７の前面には、露光ユニット２５が着脱自在に取り付けられる。露光ユニット２５には、前面から順に撮影レンズ３９、シャッタ機構、分割暗箱５３がそれぞれ設けられている。撮影レンズ３９は、撮影窓１４に対応した位置に配置される。露光ユニット２５の分割暗箱５３は、本体基部２４の分割暗箱３７とで暗箱を形成する。暗箱が形成されると、撮影レンズ３９と露光開口３８との間の撮影光路が暗室状態とされる。なお、暗箱を分割形態にしているが、分割しないで本体基部２４、又は露光ユニット２５側のいずれかに一方に設けてもよい。
【００２１】
露光ユニット２５の分割暗箱の上面には、フイルム巻き止め機構、シャッタチャージ機構、及び、ファインダー光学等が組み込まれており、これらはユニット化されている。露光ユニット２５の前面右側にはデータモジュール２７が着脱自在に取り付けられる。また、このデータモジュール２７の写し込み用の液晶表示部４５の前面には、前カバー１２の内壁との間で挟装される集光レンズ４６が設けられている。集光レンズ４６は、採光窓１５から入射する自然光を液晶表示部４５に集光する。
【００２２】
ストロボユニット２６は、前カバー１２とフイルムロール室３２との間のスペースに挟装されており、シンクロスイッチ４０、メインコンデンサ４１、電源電池４２、ストロボ発光部４３、及びストロボ基板４４等から構成されている。ストロボ充電開始ボタン１８の押下操作が行われると、電源電池４２からの電圧が昇圧されメインコンデンサ４１に充電が行われる。シャッタ機構が作動することに連動してシンクロスイッチ４０がオンしてストロボ発光部４３からストロボ光が発光する。このストロボ光は、ストロボ発光窓１７を通して被写体に向けて照射される。
【００２３】
（データ光学系）
図２はフイルムユニット１のデータ光学系の主要部分の分解斜視図であり、図３はデータ光学系の概略断面図である。これらの図に示すように、露光ユニット２５に設けた撮影レンズ３９の背後には、固定絞り３９ａが支持され、この固定絞り３９ａの背後にはシャッタ羽根５０が回動自在に支持されている。シャッタ羽根５０は引き戻しバネ５１によりシャッタ開口５２を閉じる閉じ位置に向けて付勢されている。このシャッタ開口５２は、露光ユニット２５の分割暗箱５３の前面中央、すなわち撮影レンズ３９を通る撮影光軸５４上に設けられている。
【００２４】
シャッタ羽根５０は、シャッタボタン１９の押下操作に連動してシャッタ機構を構成する蹴飛ばしレバーにより上端が蹴飛ばされ、軸５５を中心に１往復揺動してシャッタ開口５２を開閉する。この間にシャッタ開口５２に入射した被写体光は、２つの分割暗箱３７，５３で構成された暗箱５６内に入射し、有害光遮光枠５７を通って露光開口３８にセットされた写真フイルム３１に入射する。シャッタ羽根５０が揺動中には、シャッタ羽根５０の上端に設けた突起５８によりストロボユニット２６のシンクロスイッチ４０をオンする。
【００２５】
一方、液晶表示部４５を透過したデータ光は、撮影レンズ３９を透過しないで、暗箱５６の前面に形成したデータ光用シャッタ開口５９を通って暗箱５６の内部に導かれる。このデータ光用シャッタ開口５９は、正面から見て前記シャッタ開口５２の右下となる位置に別に設けられており、シャッタ羽根５０の先端に一体に設けたデータ光用のシャッタ部材６０によりシャッタ羽根５０の開閉動作に連動して開閉される。
【００２６】
暗箱５６内に導かれたデータ光は、結像光学系の光軸６１に沿って露光開口３８に導かれ、ここにセットされた写真フイルム３１に前面、すなわち乳剤面側から結像される。結像光学系は、２枚のミラー板６２，６３、及び結像レンズ６４で構成されており、これらは暗箱５６内を通る撮影光束の外に位置するように、有害光遮光枠５７の前面側と分割暗箱５３の前面内壁との間で挟装される。有害光遮光枠５７は、分割暗箱５３の背後に取り付けられている。なお、結像レンズ６４は、ホルダー部材６５により正確な位置に固定される。
【００２７】
図３に示すように、データモジュール２７の液晶表示部４５を透過したデータ光は、ミラー板６２で撮影光軸５４よりも上側に反射され、他方のミラー板６３で露光開口３８に向けて反射されて結像レンズ６４に入射する。結像レンズ６４は、データ光を撮影レンズ３９側から見て露光開口３８の右上の部分に結像させる。このように、露光開口３８の右上にデータ光を写し込むようにしたから、横位置撮影は勿論、縦位置撮影のときにも確実に被写体画像に対して下側にデータ像が写し込まれるから、例えば被写体の顔にデータ画像が重複して記録されるようなことはない。
【００２８】
なお、ここでいう縦位置撮影は、シャッタボタン１９が右下にくるように該フイルムユニットを縦に構えて撮影した姿勢とする。また、結像光学系としては、２枚のミラー板６２，６３の代わりに、Ｚ字状をしたライトガイドを用いてもよい。この場合ライトガイドに入射したデータ光は、ライトガイド内で全反射するのでライトガイド外に漏れることはなく、撮影光束に余計な光が混入することはない。
【００２９】
（データモジュール）
次に、図４は、本実施形態のデータモジュール２７の概略回路ブロック図である。この図を参照して説明すると、データモジュール２７は、電源電池７０、水晶振動子７１、時計回路７２、ＬＣＤドライバー７３、透過型の文字発生用の液晶表示部４５、データ初期設定用のスイッチ７４、及び、電源供給監視回路７５等を一体化したユニット部品であり、液晶表示部４５に表示するデータ文字を自動的に更新するオートデータ機構とされている。電源電池７０は着脱自在に取り付けられている。
【００３０】
時計回路７２には、将来の数年間のカレンダーが記憶されている。この時計回路７２は、内蔵の基準パルス発生器を水晶振動子７１により補正し、正確な時間パルスをＬＣＤドライバー７３に送る。ＬＣＤドライバー７３は、時計回路７２から得られた計時データに基づいてデータ文字を液晶表示部４５に表示するように制御する。データ初期設定スイッチ７４は、通常は外カバー１２、１３で覆われているため、データモジュール２７を取り出さない限り操作が行えないようにされており、工場でデータ表示を生産日に修正するのに利用される。
【００３１】
液晶表示部４５は、前カバー１２の採光窓１５に対応した位置に配置されている。この液晶表示部４５には、例えば「‘９６  ５  １０」等の文字が白抜きでで表示される。年、月、及び日は２文字ずつで構成され、１文字は７セグメント表示である。なお、月を表す文字の二桁目は「１」の表示だけでよいから、セグメントを縦に直線で並べた２セグメント表示としてもよい。
【００３２】
電源供給監視回路７５は、検知手段とデータ無効化手段とで構成されており、この電源供給監視回路７５の電源にも、オートデータ機構用の電源電池７０が利用されている。
【００３３】
検知手段は、ＣＲ回路７６と波形整形回路等で構成されており、時計回路７２が計時を開始した後に時計回路７２に電池７０からの給電が一旦断たれ、再び給電が開始されたことを検知する。ＣＲ回路７６は、給電が一旦断たれたときに一発のパルス波形を生成する。このパルス波形のパルス幅は、Ｃ（コンデンサ）７７とＲ（抵抗）７８との時定数に基づいて遅延して生成される。この時定数は、電源再供給後から所定時間経過後に立ち上がり（立ち上がり信号）が生成されるように予め決められている。波形整形回路としては、複数の入力ピンをもつシュミット・トリガ・インバータ用ＩＣ７９が用いている。前記パルス波形は、シュミット・トリガ・インバータ用ＩＣ７９のうち２つのシュミット・トリガ・インバータの入力ピンに直列に入力され、雑音の影響の無いパルス波形が整形され、確実に電源再給電が開始されたことを知らせるアップエッジを作成する。
【００３４】
データ無効化手段は、検知手段からの検知信号、すなわち電源再供給後から所定時間経過後に得られるアップエッジに応答し、ＬＣＤドライバー７３にオフモード信号を送る動作を継続するラッチ手段と、ＬＣＤドライバー７３とで構成されている。ＬＣＤドライバー７３は、オフモード信号を受け取ると、液晶表示部４５の文字を無効化した無表示状態、すなわち、セグメント全消灯状態にする制御を行う。
【００３５】
ラッチ手段は、フリップフロップ用ＩＣ８０とされている。このフリップフロップ用ＩＣ８０はＤ−ＦＦ用のＩＣであり、このＤ−ＦＦ用ＩＣは、入力ピンにＳ（セット）ピンとＲ（リセット）ピンとをもったものが用いられている。Ｒピンには常に「Ｈ」レベルの信号が、また、データ入力用のＤピンには常に「Ｌ」レベルの信号がそれぞれ加えられている。Ｓピンには、通常「Ｈ」レベルの信号が加えられており、リセットボタン８１が押下されると信号が「Ｌ」レベルに変化し、リセットボタン８１の押下が終了すると再び「Ｈ」レベルに変化した信号が入力される。
【００３６】
リセットボタン８１は、スイッチ７４と同じにレンズ付きフイルムユニットの外部からは操作できず、データモジュール２７の外部から操作可能とされており、電源電池７０の初期装填後、及び表示が無効化された液晶表示部４５を復帰するときに工場で操作される。この操作により、Ｓ，Ｒピンの両ピンに同時に「Ｈ」レベルの信号が入力されると、Ｑ出力からＬＣＤドライバー７３に送られる信号が「Ｈ」レベルとなる。Ｑ出力が「Ｈ」レベルの信号である場合には、ＬＣＤドライバー７３が液晶表示部４５の表示を有効化する。
【００３７】
瞬停のパルス信号は、記憶タイミングを決めるＣＰ  ピンに入力される。Ｑ出力は、常にＣＰ  入力の「Ｌ」から「Ｈ」へのアップエッジ（立ち上がり信号）の瞬間に、この時点でのＤ入力の状態を、次のＣＰ  入力のアップエッジが入力されるまで記憶し続ける。ここでは、瞬停後の電源再供給が行われた後に、Ｄ入力が「Ｌ」レベルとされ、Ｑ出力が「Ｈ」レベルの信号とされるから、その後にＣＰ  入力にアップエッジが入力されると、Ｑ出力が「Ｌ」レベルの信号となる。Ｑ出力が「Ｌ」レベルに変化することで、ＬＣＤドライバー７３は液晶表示部４５の表示を無効化にする。
【００３８】
（動作説明）
上記のように構成されたフイルムユニット１の動作を説明する。工場では、先ずデータモジュール２７に電源電池７０を装填した後にリセットボタン８１を押下操作する。これにより、Ｄ−ＦＦ用ＩＣ８０のＱ出力の信号が「Ｈ」レベルになり、ＬＣＤドライバー７３が液晶表示部４５の表示を有効化させる。その後、スイッチ７４を操作して液晶表示部４５の表示を生産日に修正する。このデータモジュール２７はフイルムユニット１に組み込まれて出荷される。
【００３９】
撮影者は、巻き上げノブ３６を操作して写真フイルム３１を巻き上げる。写真フイルム３１が巻き上げ方向に移送されると、これに従動してフイルム巻き止め機構を構成するスプロケットが回転し、スプロケットの所定回転でフイルム巻き止め機構が、スプロケットの回転と巻き上げノブ３６の回転とをロックする。これにより、写真フイルム３１が１コマ分だけ巻き上げられ、露光開口３８に最初の撮影コマがセットされる。
【００４０】
シャッタボタン１９の押圧操作が行われると、これに応答してシャッタ羽根５０が蹴飛ばしレバーで蹴飛ばされる。蹴飛ばされたシャッタ羽根５０は、軸５５を中心に１往復往動する。シャッタ羽根５０には、データ光用のシャッタ部材６０が一体に形成されているから、揺動により２つのシャッタ開口５２，５９が開閉され、この開閉中に一方のシャッタ開口５２からは撮影窓１４及び撮影レンズ３９を通った被写体光が、また他方のシャッタ開口５９からは採光窓１５、集光レンズ４６、及び液晶表示部４５を通って作成されたデータ光が暗箱５６の内部にそれぞれ入射する。
【００４１】
被写体光は、暗箱５６内で有害光遮光枠５７を通過して露光開口３８にセットされた写真フイルム３１に入射する。データ光は、ミラー板６２，６３を介して結像レンズ６４に入射され、この結像レンズ６４により露光開口３８にセットされた写真フイルム３１の右上に結像され、被写体光と重複して露光される。このデータ光は、液晶表示部４５の前に集光レンズ４６を配置しているから、フイルム面に達するデータ光量が多くなり、より鮮明に写される。しかも、結像レンズ６４を採用しているから、データ画像の輪郭も鮮明に写し込むことができる。
【００４２】
ストロボ撮影の場合には、シャッタボタン１９を押下操作する前に、ストロボ充電開始ボタン１８を押下操作する。これにより、電源電池４２からの電圧が昇圧されてメインコンデンサ４１に充電が開始される。メインコンデンサ４１の充電が完了すると、窓２１に充電完了を示すランプが表示される。この表示を確認してから、シャッタボタン１９を押下操作すれば、シャッタ羽根５０の揺動中にシンクロスイッチ４０がオンしたときに、ストロボ発光部４３からストロボ光が被写体に向けて照射される。このストロボ光は、被写体で反射された後に、撮影レンズ３９を通ってシャッタ開口５２から暗箱５６内に導かれ、露光開口３８にセットされた写真フイルム３１に入射する。一方、被写体で反射されたストロボ光は、採光窓１５にも入射し、データ光が作成される。このデータ光は前述したと同様に写真フイルム３１に露光される。これによれば、外光がストロボ光でも確実にデータ画像を写し込むことができる。
【００４３】
以下、前述した撮影を繰り返すことで、写真フイルム３１の各撮影コマには、被写体画像とともにデータ画像が写し込まれてゆく。
【００４４】
ここで、図５のタイミングチャートを参照して、データモジュール２７の電源電池７０の接続部が一時的に離れて、電池７０からデータモジュール２７への給電が一時的に中断した場合の動作を説明する。
【００４５】
レンズ付きフイルムユニットの外部から加わる振動等により、データモジュール２７の電源電池７０の接続部が一時的に離れて電池７０からデータモジュール２７への給電が一旦断たれると、ＣＲ回路７６により１つのパルス波形が生成され、図５のＡ点出力に示した出力波形となる。このパスル波形の立ち上がりは、Ｃ７８、及びＲ７７の時定数により電源再供給されてから所定時間後に生成される。このパルス信号は、シュミット・トリガ・インバータ用ＩＣ７９の１つのシュミット・トリガ・インバータに入力され、ここで整形されて同図に示したＢ点出力の波形に整形される。このパルス信号は、再びシュミット・トリガ・インバータに入力されて反転され、同図にＣＰ  入力の位置に示した波形でＤ−ＦＦ用ＩＣ８０のＣＰ  入力端子に入力される。そして、ＣＰ  入力に同図にＣＰ  入力の波形の矢印で示したアップエッジが入力される。
【００４６】
このアップエッジが入力されるタイミングは、電源供給が再び開始されてＤ−ＦＦ用ＩＣ８０が復帰してから所定時間経過後とされているから、この時点で、Ｑ出力が「Ｈ」レベルから「Ｌ」レベルの信号に変化する。これにより、ＬＣＤドライバー７３が液晶表示部４５の表示を無効化にする。その後に何回も瞬停が生じても、電源供給が復帰した後にＣＰ  入力にアップエッジが入力されるから、Ｑ出力の信号が「Ｌ」レベルのまま継続される。したがって、いったん液晶表示部４５の表示が無効化にされると、その後は、データ文字が写真フイルム３１に写し込まれることはない。
【００４７】
液晶表示部４５の表示が無効化されたときには、液晶表示部４５の全部のセグメントが全消灯状態となるため、採光窓１５から入射する自然光が液晶表示部４５で遮断され、撮影レンズ３９から入射する被写体光だけが写真フイルム３１に写し込まれる。
【００４８】
最後の撮影コマに撮影を完了した後には、フイルムカウンタ機構がフイルム巻き止め機構の作動を禁止する。これにより、フイルム巻き止めが作動しないから、フイルム巻き上げ操作によって全部の撮影済みの写真フイルム３１がカートリッジ２９の内部に巻き込まれる。撮影済みのフイルムユニットは、現像所に提出され、ここで、露光済みの写真フイルム３１を収納したカートリッジ２９が取り出される。取り出したカートリッジ２９は、フイルムプロセッサーにセットされ、露光済みの写真フイルム３１が現像される。
【００４９】
現像済みの写真フイルム３１からは、プリンタプロセッサーによりプリント写真が作成される。作成されたプリント写真と現像済みの写真フイルムは、ユーザーに返却される。仕上がったプリント写真には、横位置撮影の画像の場合には右下に、また縦位置撮影の画像の場合には左下に、それぞれ日付が記録されており、瞬停後に撮影したプリント写真には、日付が記録されていない。なお、記録された日付は、横位置撮影の画像と同じ向きで写される。また、空のレンズ付きフイルムユニットは工場に回収され、リサイクルされる。このリサイクルのときには、電源電池７０を交換したデータモジュール２７が再利用される。
【００５０】
（第２の実施形態）
図６は、データモジュール２７の別の実施形態に係るデードモジュールの回路ブロック図であり、このデードモジュールは、自然光の代わりに写し込みランプ８２を利用してデータを写し込むように構成されている。図７は、その動作を示すタイミングチャートである。ランプ８２の点灯タイミングは、ストロボ内蔵の場合にはシンクロスイッチ４０から得られるシンクロ信号を利用すればよく、ストロボ内蔵でない場合にはシャッタボタン１９の下部にスイッチを設け、このスイッチから得られるシャッタレリーズ信号を利用すればよい。
【００５１】
このシンクロ信号又はシャッタレリーズ信号とＤ−ＦＦ用ＩＣ８０のＱ出力から得られる信号とをＡＮＤ回路８３に入力し、ＡＮＤ回路８３の出力を写し込みトリガー信号として写し込みランプ点灯制御回路８４に入力させる。初期状態は、Ｑ出力から得られる信号が常に「Ｈ」レベルでＡＮＤ回路８３に入力されており、シャッタレリーズに連動してシンクロ信号又はシャッタレリーズ信号がＡＮＤ回路８３に入力されることで、ＡＮＤ回路８３が写し込むランプ点灯制御回路８４に写し込みトリガー信号を送る。写し込みランプ点灯制御回路８４は、このトリガー信号を受け取ることで写し込みランプ８２を点灯させる。
【００５２】
電源供給が一時的に断たれた後には、電源復帰後にＱ出力から得られる信号が「Ｌ」レベルでＡＮＤ回路８３に入力されるから、図７に示したように、その後のシャッタレリーズに連動してシンクロ信号又はシャッタレリーズ信号がＡＮＤ回路８３に入力されても、ＡＮＤ回路８３から写し込みトリガーが送出されず、したがって、写し込むランプ点灯制御回路８４が写し込みランプ８２を点灯させることはない。
【００５３】
写し込みランプ８２を利用する場合には、採光窓１５とシャッタ部材６０とを省略する。写し込みランプ８２は、液晶表示部４５の前面に取り付けられており、ランプ８２が点灯することで液晶表示部４５を前面から点灯し、液晶表示部４５を透過したデータ光がシャッタ開口５９を通って暗箱５６の内部に入射し、結像光学系によって写真フイルム３１に前面から結像される。
【００５４】
上記の各実施形態では、データ光を写真フイル３１に前面から写し込むようにしているが、本発明ではこれに限らず、写真フイルム３１の背面、すなわち乳剤面とは逆面側から写し込むようにしてもよい。この場合には、結像光学系を、液晶表示部４５を透過したデータ光を後カバー１３に側に向けて導き、さらに、写真フイルム３１の乳剤面とは逆面に結像させるように構成する。また、別の例としては、液晶表示部４５を後カバー１３に設け、採光窓１５から入射した外光を液晶表示部に、例えばライトガイド等で導くようにしてもよい。液晶表示部４５を後カバー１３に設ける場合には、スペース的に密着露光で写し込むのが好適である。
【００５５】
また、データモジュール２７の電源電池としては、電源電池７０を省略し、ストロボ用の電源電池４２を利用して給電するようにしてもよい。この場合には、電源電池４２をそのままの電圧でデータモジュール２７に供給することができない場合がある。この場合には、ストロボ基板のトランスを利用して所定の電圧に変圧して給電する。
【００５６】
（第３の実施形態）
図８は、データモジュール２７の更に別の実施形態に係るデータモジュールの回路ブロック図である。本例のデートモジュール１００は、給電の一時的中断や外部ノイズの侵入によってリセットが掛かり、表示データが初期化されてしまった場合に、データの写し込みを強制的に中止する回路構成を備えている。
【００５７】
詳細に説明すると、本例のデータモジュール１００は、発振回路１３４、分周回路１３５、時計回路７２、表示デコーダ１３７、ラッチ回路１３８、ＬＣＤドライバー７３、シリアルインターフェース（ＳＩＯ）回路１４０、リセット回路１４４、比較回路１４５、コード設定回路１４６、ＯＲゲート１４７、プルダウン抵抗１５５、１５６を有している。発振回路１３４には、その発振のための水晶振動子７１が外付け回路として接続されており、ＬＣＤドライバー７３の出力側には、写し込み用の液晶表示部４５が接続されている。
【００５８】
ここで、コード設定回路１４６は時計回路７２の初期データを保持している初期データ保持手段である。比較回路１４５は、このコード設定回路１４６に保持されている初期データと時計回路７２の計時データとを比較する比較手段である。この比較回路１４５によって計時データが初期データに一致したことが検出された場合には、データ無効化手段を構成しているＯＲゲート１４７からの出力１４８によって後述するように液晶表示部４５による日付文字の写し込みが禁止される。
【００５９】
データモジュール１００には、更に、外部回路に接続して計時データ（年・月・日・時・分・秒）の書き込み、および、読み出しを行うためのシリアルインターフェース用のＣＳ端子１４１、ＳＣＫ端子１４２、およびＤＡＴＡ端子１４３の３端子と、リセット用のＳＲ端子１５０と、テストモード用のテスト端子１４９が設けられている。シリアルインターフェース用の端子のうち、ＣＳ端子１４１およびＳＣＫ端子１４２は外部回路からの信号が入力される端子であり、残りのＣＳ端子１４１はデータの通信時にアクティブとなり、この間に、ＳＣＫ端子１４２に入力される外部クロックに同期してＤＡＴＡ端子１４３を介して、計時データの書き込み、および読み出しが行われる。
【００６０】
外部からＳＩＯ回路１４０に書き込まれたデータは時計回路７２に送られる。時計回路７２は、分周回路１３５からのカウントアップクロックに同期して計時を続行する。時計回路７２からの年・月・日データ１５２は表示デコーダ１３７でデコードされ、ラッチ回路１３８およびＬＣＤドライバー７３を介して、写し込み用液晶表示部４５に表示される。
【００６１】
表示デコーダ１３７は表示イネーブル信号１４８により制御され表示イネーブル信号が「Ｈ」レベルの場合データをそのまま出力し、「Ｌ」レベルの場合ブランク出力をするようになっている。ラッチ回路１３８は分周回路１３５からのラッチ信号１５１で表示デコーダ１３７からの表示データを取り込む動作を行っている。本例の場合、日までの表示であるから、基本的には、１日に一回の表示データを取り込めば良い。
【００６２】
図９には、上記の比較回路１４５の回路構成例を示してある。この図に示すように、本例の比較回路１４５は、８個の２入力ＥＸＯＲゲートと、１個の８入力ＯＲゲートとを備えており、時計回路７２からの年・月・日データ１５２の内の年データ（十の桁及び一の桁）のみを設定データ（初期データ）１５３と比較するようになっている。
【００６３】
ここで、データモジュール１００にリセットが掛かった場合、内部の時計回路７２のデータは初期化されて、通常は、「１９ＸＸ年１月１日００時００分００秒」となるように設計されることが多い。ここで、「ＸＸ年」は当該データモジュール１００が取り扱われる年度のうちの一番古い年度にされる。本例では１９９７年以降に使用することを想定し、初期値を「１９９６年」としている。これに対応させて、予めコード設定回路１４６に設定される設定データ１５３の内容もここでは「１９９６年」とされている。
【００６４】
本例のデータモジュール１００において、外部からのノイズ等によりリセットが掛かった場合の動作を説明する。リセットが掛かると、時計回路７２の計時内容が初期化されて、年データは「１９９６年」となる。設定データ１５３は「１９９６年」となっているので、時計回路７２の年データの計時内容がコード設定回路１４６に設定されている設定データ１５３に一致する。この結果、比較回路１４５の比較結果を表す出力１５４は「Ｌ」レベルに立ち下がる。
【００６５】
通常の動作状態では、テスト端子１４９はプルダウン抵抗１５５によってＶｓｓにプルダウンされているので「Ｌ」レベル状態にある。従って、ＯＲゲート１４７の出力である表示イネーブル信号１４８は「Ｌ」レベルに立ち下がり、表示デコーダ１３７は表示禁止状態となって表示出力をブランクにする。この結果、写し込み用液晶表示部４５には何も表示されない。よって、間違ったデータが写真フイルムに写し込まれることが未然に防止される。本例では、リセット後、計時データの書き込みがなければ、１年間は写し込みが禁止状態に保持される。
【００６６】
なお、本例では、コード設定回路１４６を内蔵しているが、外部に端子の形で出しておき、回路基板上でコード設定を行うことも可能である。更に、ここでは「１９９６年」の年データのみの比較を行ったが、比較するデータの値や範囲を変更する事により写し込み禁止期間を調整することも可能である。
【００６７】
また、テスト時にはテスト端子１４９を「Ｈ」レベルに立ち上げることにより、比較回路１４５の比較結果に関係なく、表示イネーブル信号を「Ｈ」レベルに立ち上げて、写し込み用液晶表示部４５を駆動表示させることができる。
【００６８】
以上のように、本例のデータモジュール１００では、外部ノイズ等に起因して時計回路の計時内容がリセットされて初期値に戻ってしまった場合には、写し込み用液晶表示部４５によるデータ表示をブランクにしているので、シャッターが開いても写し込み用液晶表示部はデータ光を透過せず、従って、間違ったデータが写真フイルムに写し込まれない。
【００６９】
なお、第２の実施形態に係るデータモジュール（図６参照）のように写し込み用の専用のランプを備えた構成のデータモジュールに対して本例の構成を適用することもできる。この場合には、比較回路１４５の比較結果を示す出力１５４を用いてランプの点灯制御回路を制御すればよい。
【００７０】
【発明の効果】
以上説明したように、本発明のデータ写し込み装置によれば、時計回路に対する給電が中断したこと検出すると、液晶表示素子を無表示状態に保持するようにしている。また、写し込みランプを備えた構成の場合には、それ以後は写し込みランプの点灯を禁止するようにしている。従って、本発明によれば、給電が一時的に中断したことに起因して狂いが発生した時計回路の計時内容がそのまま写真フイルムに写し込まれることを未然に防止できる。
【００７１】
また、本発明のデータ写し込み装置によれば、時計回路にリセットが掛かりその計時内容が初期化されたことを検出すると、液晶表示素子を無表示状態に保持するようにしている。また、写し込みランプを備えた構成の場合には、それ以後は写し込みランプの点灯を禁止するようにしている。従って、本発明によれば、外部ノイズ等に起因して、リセットが掛かった時計回路の計時内容がそのまま写真フイルムに写し込まれることを未然に防止できる。
【図面の簡単な説明】
【図１】本発明を適用したレンズ付きフイルムユニットの分解斜視図である。
【図２】図１のフイルムユニットにおけるデータ光学系の要部を示す斜視図である。
【図３】図１のフイルムユニットにおけるデータ光学系の要部を示す断面図である。
【図４】図１のフイルムユニットに搭載されているデータモジュールの制御回路を示す概略ブロック図である。
【図５】図４の制御回路の各部分の動作を示すタイミングチャートである。
【図６】第２の実施形態に係るデータモジュールの制御回路を示す概略ブロック図である。
【図７】図６の制御回路の各部分の動作を示すタイミングチャートである。
【図８】第３の実施形態に係るデータモジュールの制御回路を示す概略ブロック図である。
【図９】図８の比較回路の回路構成を示す回路図である。
【符号の説明】
１    レンズ付きフイルムユニット
１１  ユニット本体
２７  データモジュール（データ写し込み装置）
３９  撮影レンズ
４５  液晶表示部
４６  集光レンズ
５０  シャッタ羽根
５２  被写体光用シャッタ開口
５９  データ光用シャッタ開口
６０  シャッタ部材
６４  結像レンズ
７０  電源電池
７２  時計回路
７５  電源供給監視回路
８０  Ｄ−ＦＦ用ＩＣ
１００  データモジュール
１３７  表示デコーダ
１４５  比較回路
１４６  コード設定回路
１４７  ＯＲゲート
１４８  ＯＲゲート出力（表示イネーブル信号）
１５３  設定コード
１５４  比較出力
【図１】
0003628829.tif 000002
【図２】
0003628829.tif 000003
【図３】
0003628829.tif 000004
【図４】
0003628829.tif 000005
【図５】
0003628829.tif 000006
【図６】
0003628829.tif 000007
【図７】
0003628829.tif 000008
【図８】
0003628829.tif 000009
【図９】
0003628829.tif 000010